(57)【特許請求の範囲】
【請求項１】
筐体と、
記録媒体が収められる記録媒体格納部と、携帯端末が収められ、前記携帯端末に接続されるコネクタを有する携帯端末格納部とを有し、前記筐体外への移動と、前記筐体内への移動が可能な可動部であって、前記筐体内へ移動して前記筐体内に収容されると、前記コネクタが前記筐体内に位置する可動部と、
前記記録媒体格納部に収められた前記記録媒体にアクセスし、前記コネクタに接続され、前記携帯端末格納部に収められた携帯端末に前記コネクタを介してアクセスするアクセス部と、
を有する電子機器。
【請求項２】
前記コネクタに前記携帯端末が接続されると、前記可動部は、前記筐体内の方向へ移動させられること
を特徴とする請求項１に記載の電子機器。
【請求項３】
前記コネクタに前記携帯端末が接続されると、前記可動部は、前記携帯端末が前記筐体外に位置する予め定められた位置まで移動させられ、
前記予め定められた位置まで前記可動部が移動させられると、前記携帯端末にアクセスする請求項２に記載の電子機器。
【請求項４】
前記携帯端末と前記コネクタとを接続するときの方向は、前記可動部が前記筐体内へ移動する方向と異なる方向である
ことを特徴とする請求項１〜３のいずれかに記載の電子機器。
【請求項５】
記録媒体と携帯端末とにアクセス可能な電子機器であって、
筐体と、
前記筐体に配置された配置物を、軸を中心に回転して覆う可動部であって、当該可動部の回転方向に突出するように配置され且つ前記携帯端末に接続される雄型のコネクタを有する可動部と、
前記筐体に設けられ、且つ前記可動部が前記配置物を覆うときに前記雄型のコネクタが入り込む収納部と
を有し、
前記可動部は、前記配置物を覆い且つ前記雄型のコネクタが前記収納部に入り込んで隠れる状態と、前記配置物を外部に露出させ且つ前記雄型のコネクタが露出する状態とに可動である電子機器。
【発明の詳細な説明】
【技術分野】
【０００１】
本発明は、コネクタを保護する技術に関する。
【背景技術】
【０００２】
携帯電話機や携帯音楽プレーヤなどの携帯端末と、パーソナルコンピュータやオーディオ装置などの外部機器とを接続する為の接続機器として、例えばドックと呼ばれるものがある。このドックには、携帯端末を電気的に接続するためのコネクタが設けられている。このコネクタは、外部機器側のコネクタと接続されていない時には外部に晒された状態になるから、塵埃などの付着によってショートや電気接続の不良が発生することがある。
例えば特許文献１、２には、コネクタを塵埃から保護するための技術が開示されている。特許文献１には、コネクタが配設された凹部の開口の周縁に凹部の開口を閉塞する蓋体を設け、開口を閉塞して凹部に塵埃等の侵入を回避することで、塵埃によってコネクタに問題が生じることを回避する技術が開示されている。また、特許文献２には、複数の接続コネクタを設けられた接続トレイが、使用していない接続コネクタを装置本体内に収納することで、接続コネクタを塵埃や破損などから保護する技術が開示されている。
【先行技術文献】
【特許文献】
【０００３】
【特許文献１】特開２００９−５４３５８号公報
【特許文献２】特開２００９−１０５２５号公報
【発明の概要】
【発明が解決しようとする課題】
【０００４】
ところで、特許文献１に開示された発明においては、コネクタを保護するためだけに、蓋部が設けられている。また、特許文献２に開示された発明においても、オーディオ処理装置内にある接続コネクタに塵埃が到達しないように、接続コネクタが通る開口部を閉塞するための遮蔽板が設けられている。
このように、特許文献１、２に開示された発明においては、コネクタを保護するためだけに部品が設けられており、部品数が増え、加工や製造に手間がかかる。
【０００５】
本発明は、上述した背景の下になされたものであり、コネクタを保護するためだけの部材を設けなくとも、コネクタの保護を可能にすることにある。
【課題を解決するための手段】
【０００６】
上述の課題を解決するため、本発明に係る電子機器は、筐体と、記録媒体が収められる記録媒体格納部と、携帯端末が収められ、前記携帯端末に接続されるコネクタを有する携帯端末格納部とを有し、前記筐体外への移動と、前記筐体内への移動が可能な可動部であって、前記筐体内へ移動して前記筐体内に収容されると、前記コネクタが前記筐体内に位置する可動部と、前記記録媒体格納部に収められた前記記録媒体にアクセスし、前記コネクタに接続され、前記携帯端末格納部に収められた携帯端末に前記コネクタを介してアクセスするアクセス部とを有することを特徴とする。
【０００７】
好ましくは、前記コネクタに前記携帯端末が接続されると、前記可動部は、前記筐体内の方向へ移動させられることを特徴とする。
また、好ましくは、前記コネクタに前記携帯端末が接続されると、前記可動部は、前記携帯端末が前記筐体外に位置する予め定められた位置まで移動させられ、前記予め定められた位置まで前記可動部が移動させられると、前記携帯端末にアクセスすることを特徴とする。
また、好ましくは、前記携帯端末と前記コネクタとを接続するときの方向は、前記可動部が前記筐体内へ移動する方向と異なる方向であることを特徴とする。
【０００８】
また、本発明に係る電子機器は、記録媒体と携帯端末とにアクセス可能な電子機器であって、筐体と、前記筐体に配置された配置物を、軸を中心に回転して覆う可動部であって、当該可動部の回転方向に突出するように配置され且つ前記携帯端末に接続される雄型のコネクタを有する可動部と、前記筐体に設けられ、且つ前記可動部が前記配置物を覆うときに前記雄型のコネクタが入り込む収納部とを有し、前記可動部は、前記配置物を覆い且つ前記雄型のコネクタが前記収納部に入り込んで隠れる状態と、前記配置物を外部に露出させ且つ前記雄型のコネクタが露出する状態とに可動であることを特徴とする。
【発明の効果】
【０００９】
本発明によれば、コネクタを保護するためだけの部材を設けなくとも、コネクタを保護することができる。
【図面の簡単な説明】
【００１０】
【図１】オーディオシステム１を構成する装置を示した図である。
【図２】電子機器３に接続可能な携帯端末６の斜視図である。
【図３】ディスクトレイ４０の構造を示した図である。
【図４】電子機器３のハードウェア構成を示すブロック図である。
【図５】携帯端末６を収容した状態の電子機器３の外観を示した図である。
【図６】変形例に係る電子機器３Ａの斜視図である。
【図７】変形例に係るディスクトレイ４０ａの構造を示した図である。
【発明を実施するための形態】
【００１１】
（１）実施形態
以下、図面を参照して、本発明の実施形態について説明する。
【００１２】
［全体構成］
図１は、オーディオシステム１を構成する装置を示した図である。オーディオシステム１は、コンピュータ装置２と、電子機器３と、ケーブル７とを備えている。コンピュータ装置２は、所謂パーソナルコンピュータである。電子機器３は、デジタルデータを記録する記録媒体の一例である光ディスクにアクセス可能な補助記憶装置、所謂ディスクドライブである。なお、電子機器３は、不揮発性メモリを備えた携帯型の音楽プレーヤに対してもアクセス可能となっている。
電子機器３は、ケーブル７が接続される接続Ｉ／Ｆ部を有しており、ケーブル７を介してコンピュータ装置２と接続される。コンピュータ装置２と電子機器３とがケーブル７で接続されると、電子機器３に収納された光ディスクに対してコンピュータ装置２からアクセスすることが可能となり、コンピュータ装置２は、光ディスクから読み出した音楽データを再生することや、光ディスクに対して音楽データを書き込むことができる。
なお、本実施形態において電子機器３は、所謂ディスクドライブとしているが、コンピュータ装置２と接続されずに単体で光ディスクを再生する光ディスクプレーヤ（たとえばＣＤプレーヤやＤＶＤプレーヤ）であってもよい。この場合において電子機器３は、スピーカを備え、光ディスクに記録されたデータを再生してスピーカから楽音を発生し、携帯型の音楽プレーヤに記録されたデータを再生してスピーカから楽音を発生する構成としてもよい。
【００１３】
［電子機器の構成］
図２は、電子機器３に接続可能な携帯端末６の斜視図である。なお、以下の説明においては、ユーザが電子機器３を正面から見たときの前後方向をＸ軸方向、左右方向をＹ軸方向、上下方向をＺ軸方向とする直交座標系を想定する。そして、Ｘ軸の正の方向を前方向、Ｘ軸の負の方向を後方向と称する。また、Ｙ軸の正の方向を右方向、Ｙ軸の負の方向を左方向と称する。また、Ｚ軸の正の方向を上方向、Ｚ軸の負の方向を下方向と称する。また、図中、「○」の中に「・」が記載されたものは紙面の裏から表に向かう矢印を意味し、「○」の中に「×」が記載されたものは紙面の表から裏に向かう矢印を意味する。
【００１４】
携帯端末６は、不揮発性メモリを備えた携帯型の音楽プレーヤである。携帯端末６の筐体６０は、例えばプラスチックで形成されており、その形状は、直方体の形状となっている。携帯端末６は、ユーザにより操作される複数の操作子を備えた操作部６２と、画像を表示する液晶ディスプレイを備えた表示部６１を有している。また、携帯端末６は、他の装置に接続するための雌型のコネクタ（図示略）を有している。
なお、本実施形態において携帯端末６の筐体６０は、操作部６２および表示部６１が設けられている面（図２において上側の面）を上面と称し、その反対側の面（図２において下側の面）を下面と称する。また、携帯端末６の筐体６０において、上面と下面との間にあり、長手方向の端にある２つの側面のうち、操作部６２がある側の側面を左側面、表示部６１がある側の側面を右側面と称する。また、携帯端末６の筐体６０において、上面と下面との間にあり、短手方向の端にある２つの側面のうち、図２においてＸ軸の正方向の側にある面を前側面、Ｘ軸の負方向の側にある面を後側面と称する。なお、上述した雌型のコネクタは、携帯端末６の筐体６０の左側面に配置されている。
【００１５】
電子機器３の筐体３００の前面には、筐体３００内の空間に通じる長方形の開口部３０１が設けられている。ディスクトレイ４０は、光ディスクが載せられて移動可能な部材である。なお、本実施形態においては、ディスクトレイ４０は、携帯端末６を接続することが可能となっている。
また、筐体３００の前面に設けられているボタン３０２は、ディスクトレイ４０を動作させるためのボタンである。ディスクトレイ４０が筐体３００から突出している状態でボタン３０２が操作されると、ディスクトレイ４０は、開口部３０１を通って後方向へ移動し、筐体３００の内部に引き込まれる。また、ディスクトレイ４０が筐体３００内に収納されている状態でボタン３０２が操作されると、ディスクトレイ４０は、開口部３０１を通って前方向へ移動し、筐体３００の外部に突出する。
なお、ディスクトレイ４０は、前方向の端部に長方形で板状の蓋部４６を有している。ディスクトレイ４０が筐体３００内に収納されると、この蓋部４６が開口部３０１を塞ぐこととなる。
【００１６】
図３は、ディスクトレイ４０の構造を示した図であり、図３（ａ）はディスクトレイ４０の上面図、図３（ｂ）は図３（ａ）のＡ−Ａ'線断面図である。ディスクトレイ４０には、凹部４１と凹部４２が設けられている。凹部４１には直径が１２ｃｍの光ディスクが収められ、凹部４２には直径が８ｃｍの光ディスクが収められる。すなわち、凹部４１と凹部４２は、記録媒体が収められる記録媒体格納部に相当する。また、ディスクトレイ４０には、上側から下側に貫通し、前後方向を長手方向とする開口部４５が設けられている。電子機器３が光ディスク５に対してアクセスする際には、光ディスク５に対してデータの読み書きを行う周知の光ピックアップが、この開口部４５に位置する。
【００１７】
また、ディスクトレイ４０には、携帯端末６を収容する凹部４３が設けられている。凹部４３は、蓋部４６の後側に設けられており、上側から見たときの形状が長方形となっている。凹部４３の上下方向の深さは、凹部４１および凹部４２の深さより深くなっている。凹部４３は、左右方向に長手方向を有しており、凹部４３の長手方向に沿った壁面は、電子機器３の左右方向に沿っている。また、凹部４３の短手方向に沿った左壁面４３１は、電子機器３の前後方向に沿っている。凹部４３の左壁面４３１には、左壁面４３１から右方向へ突出するように、携帯端末に接続される雄型のコネクタ４４が配置されている。すなわち、凹部４３は、携帯端末が収められ、前記携帯端末に接続されるコネクタを有する携帯端末格納部に相当する。
【００１８】
凹部４３において、携帯端末６は、ユーザによって左側面を左側に向けられてコネクタ４４から離れた位置に入れられた後左方向へ移動させられると、コネクタ４４が、携帯端末６の左側面にある雌型のコネクタに嵌り、携帯端末６と電子機器３とが、電気的に接続される。コネクタ同士が接続されると、携帯端末６とコンピュータ装置２は、このコネクタを介して互いにデータを授受することが可能となる。
なお、本実施形態において電子機器３は、ディスクトレイ４０を後方向に押されると、ディスクトレイ４０を自動的に筐体３００内に引き込む機能を有している。ここで、携帯端末６をコネクタ４４に接続する際には、携帯端末６からディスクトレイ４０にコネクタ同士を接続するための力が加わることになる。この力が加わる方向は左右方向であって後方向ではないから、携帯端末６をコネクタ４４に接続する際にディスクトレイ４０にかかる力によって、ディスクトレイ４０が筐体３００内に引き込まれることがない。すなわち、携帯端末とコネクタとを接続するときの方向は、前記可動部の移動方向と異なる方向に相当する。
【００１９】
次に、電子機器３のハードウェア構成について、図４を用いて説明する。図４は、電子機器３のハードウェア構成を示すブロック図である。電子機器３は、ＣＰＵ（Central Processing Unit）、ＲＯＭ（Read Only Memory）、ＲＡＭ（Random Access Memory）を備えた制御部３０３を有している。ＲＯＭに記憶されているプログラムがＣＰＵにより実行されると、制御部３０３は、制御部３０３に接続されている各部を制御する。制御部３０３には、スピンドルモータ駆動回路３０６、レーザ駆動回路３０６、デコーダ３０９が接続されている。また、制御部３０３には、トレイモータ駆動回路３１１、コネクタ４４、ボタン３０２、接続Ｉ／Ｆ部３１０が接続されている。また、電子機器３は、スピンドルモータ３０８と、光ピックアップ３０７を有している。また、制御部３０３は、コネクタ４４に携帯端末６が接続されたことを検知し、携帯端末６にアクセスする機能を備えている。すなわち、制御部３０３は、コネクタを介して携帯端末にアクセスするアクセス部に相当する。
【００２０】
接続Ｉ／Ｆ部３１０は、コンピュータ装置２と電子機器３とを接続するケーブル７が接続されるコネクタを備えており、コンピュータ装置２との間でデータの送信および受信を行うインターフェースとして機能する。スピンドルモータ３０８は、光ディスク５を回転させるためのモータである。スピンドルモータ駆動回路３０５は、スピンドルモータ３０８に印加する電圧を制御して、光ディスク５の回転速度を制御する。光ピックアップ３０７は、制御部３０３に制御されて光ディスク５にアクセスする機能を備えている。すなわち、制御部３０３は、録媒体格納部に収められた記録媒体にアクセスするアクセス部に相当する。レーザ駆動回路３０６は、光ピックアップ３０７のレーザ光源のレーザ出力値を制御する機能を備えている。光ピックアップ３０７は、光ディスク５に記憶されている音楽データを読み出すと、読み出した音楽データをデコーダ３０９へ出力する。デコーダ３０９は、光ピックアップ３０７から供給された音楽データをデコードし、デコードされた音楽データを制御部３０３に出力する。制御部３０３は、デコーダ３０９から出力された音楽データを受け取り、接続Ｉ／Ｆ部３１０を介してコンピュータ装置２へ音楽データを送ることが可能となっている。
【００２１】
ボタン３０２は、ユーザにより操作されると、操作されたことを示す信号を制御部３０３へ出力する。トレイモータ駆動回路３１１は、ディスクトレイ４０を移動させる機構（図示略）を動作させるモータであるトレイモータを駆動する回路である。トレイモータ駆動回路３１１は、制御部３０３の制御の下、トレイモータを駆動する。例えば、制御部３０３は、コネクタ４４に携帯端末６が接続されてなく、且つ、ディスクトレイ４０が筐体３００から突出している状態において、ボタン３０２が操作されると、トレイモータ駆動回路３１１を制御してディスクトレイ４０を筐体３００内へ移動させる。また、制御部３０３は、コネクタ４４に携帯端末６が接続されてなく、且つ、ディスクトレイ４０が筐体３００内に収納されている状態において、ボタン３０２が操作されると、トレイモータ駆動回路３１１を制御してディスクトレイ４０を筐体３００外へ移動させる。すなわち、ディスクトレイ４０は、筐体外への移動と、筐体内への移動が可能な可動部であって、筐体内へ移動して筐体内に収容されると、前記コネクタが前記筐体内に位置する可動部に相当する。
【００２２】
次に、コネクタ４４に携帯端末６が接続される場合について説明する。
まず、制御部３０３は、ディスクトレイ４０が図２に示したように筐体３００から突出している状態において、携帯端末６が凹部４３に収容されてコネクタ４４に携帯端末６の雌型コネクタが接続されると、携帯端末６が接続されたことを検知する。ここで、ボタン３０２が操作されると、制御部３０３は、ディスクトレイ４０を筐体３００内へ移動させる。なお、ここで制御部３０３は、蓋部４６が開口部３０１を塞ぐまでディスクトレイ４０を移動させるのではなく、図５に示したように、携帯端末６が筐体３００内に入らないようにディスクトレイ４０を予め定められた位置まで移動させる。これにより、凹部４３の高さが携帯端末６の上面から下面までの高さより低い場合、即ち、携帯端末６が凹部４３からはみ出して凹部４３に収容されている場合であっても、携帯端末６の筐体６０が、電子機器３の筐体３００に接触することがない。さらに、ユーザは、携帯端末６を認識し、表示部６１を見ることや操作部６２を操作することができる。
また、図５の状態にある時にボタン３０２が操作された場合には、制御部３０３は、ディスクトレイ４０を図２に示した位置まで移動させる。
【００２３】
なお、本実施形態においては、コネクタ４４に携帯端末６が接続されている場合、制御部３０３は、図５に示したように携帯端末６を操作可能にディスクトレイ４０が筐体３００内へ引き込まれている時には携帯端末６へのアクセスを可能としてもよい。さらに、コネクタ４４に携帯端末６が接続されている場合、制御部３０３は、図２に示したようにディスクトレイ４０が筐体３００外へ引き出されている時には携帯端末６へのアクセスを不可としてもよい。また、制御部３０３は、レーザ駆動回路３０６を制御して光ピックアップ３０７のレーザ光の出力を停止させたり、スピンドルモータ駆動回路３０５を制御してスピンドルモータ３０８の回転を停止させたりしてもよい。
【００２４】
また、本実施形態においては、凹部４３の高さが携帯端末６の上面から下面までの高さより高い場合、即ち、携帯端末６が凹部４３からはみ出さずに凹部４３に収まる場合には、ディスクトレイ４０を筐体３００内の方向へ移動させた時に図５に示した位置で止めるのではなく、携帯端末６が筐体３００内に収まるように（ディスクトレイ４０が筐体３００内に収まるように）ディスクトレイ４０を移動させてもよい。
【００２５】
また、本実施形態においては、電子機器３が、液晶ディスプレイや蛍光表示管など、情報を表示する表示部を備えている構成においては、携帯端末６に記憶されている音楽データに関する情報（たとえば、アルバム名、アーティスト名、トラック番号など）を携帯端末６が筐体３００内に収納された時に表示してもよい。また、このように携帯端末６が筐体３００内に収納されている場合にも、スピンドルモータ駆動回路３０５を制御してスピンドルモータ３０８の回転を停止させてもよい。
【００２６】
本実施形態においては、ディスクトレイ４０が筐体３００の内部に収納された場合、携帯端末６が接続されるコネクタ４４が筐体３００内に入り、蓋部４６が、開口部３０１を塞ぐ。つまり、開口部３０１が蓋部４６により塞がれるので、筐体３００内にあるコネクタ４４には、外部から塵埃が到達しない。このため、コネクタ４４においてショートや電気接続の不良といった問題が発生するのを抑えることができる。また、コネクタ４４は、筐体３００内に入るので、衝撃による破損からも保護される。
【００２７】
筐体３００にコネクタ４４を配置する場合には、筐体３００を加工し、コネクタ４４を塵埃から保護する部材を筐体３００に設ける必要が生じ、部品数が増え、加工や製造に手間がかかることとなる。また、電子機器３の外観についても、コネクタが筐体３００に配置されていると、コネクタ４４が目立ち、デザインの点で難がある。
一方、本実施形態においては、コネクタ４４は、光ディスク５が載せられるディスクトレイ４０に配置されている。つまり、ディスクトレイ４０を、光ディスク５を載せるだけの部材として使用するのではなく、携帯端末６を収納、且つ接続するための部材としても使用できる。したがって、新たに部品数を増やさず、加工や製造に手間を掛けることなく電子機器３を製造することができる。また、ディスクトレイ４０が電子機器３内に収納されている時には、外からコネクタ４４が見えないので、電子機器３のデザインという点でも外観をすっきりさせることができる。
【００２８】
（２）変形例
本発明は、上述した実施形態と異なる形態で実施することが可能である。また、以下に示す変形例は、各々を適宜に組み合わせてもよい。なお、以下の説明において、実施形態又は変形例で説明したものと同じ構成については同一の符号を付して表し、その説明を省略する。
【００２９】
（２−１）変形例１
上述した実施形態においては、ディスクトレイ４０にコネクタ４４が配置されているが、他の位置にコネクタ４４が配置されていてもよい。図６は、変形例に係る電子機器３Ａの斜視図である。電子機器３Ａは、上述した実施形態と同じボタン３０２を有している。電子機器３Ａの筐体３００の前面には、開口部３０１が設けられている。なお、上述した実施形態と同様に、この開口部３０１を通ってディスクトレイ４０が筐体３００内に収納される。
【００３０】
また、電子機器３Ａは、筐体３００内に収納されたディスクトレイ４０を見えないように覆い隠すための長方形で板状の蓋部４６ａを有している。蓋部４６ａの長手方向の両端には軸４６ｂが設けられている。この軸４６ｂは、筐体３００の左側面の前側および右側面の前側に設けられた孔に通されている。軸４６ｂは、この孔により支持され、蓋部４６ａは、軸４６ｂを中心にして、図６で点線の矢印で示したように回転する。蓋部４６ａが回転してディスクトレイ４０を覆い隠すと、開口部３０１が外部に露出せず、筐体３００の内部に塵埃が入り込むのが抑えられる。一方、図６に示したように、蓋部４６ａが前側に倒されると、開口部３０１が外部に露出し、ディスクトレイ４０を移動させることが可能となる。
【００３１】
なお、蓋部４６ａにおいては、図６に示したように前側に倒された時に上側に向く面にコネクタ４４が蓋部４６ａから突出するように配置されている。この構成においては、携帯端末６は、雌型のコネクタが配置された左側面をコネクタ４４に向けて蓋部４６ａに載せられ、携帯端末６のコネクタにコネクタ４４が嵌ると、携帯端末６と電子機器３が電気的に接続される。
なお、筐体３００の前面であって、蓋部４６ａで覆われる部分には、蓋部４６ａがディスクトレイ４０を覆い隠した時にコネクタが入り込む収納部４４ｂが設けられている。すなわち、蓋部４６ａは、筐体に配置された配置物を覆う可動部であって、携帯端末に接続されるコネクタを有し、配置物を覆う状態と配置物を外部に露出させる状態とに可動である可動部に相当する。
【００３２】
この変形例においては、コネクタ４４に携帯端末６が接続されてなく蓋部４６ａがディスクトレイ４０を覆い隠す場合には、コネクタ４４は、収納部４４ｂに収まり外部に露出しないので、コネクタ４４に塵埃が到達しない。このため、コネクタ４４においてショートや電気接続の不良といった問題が発生するのを抑えることができる。また、コネクタ４４は、筐体３００内に入るので、衝撃による破損からも保護することができる。
【００３３】
また、この変形例においては、コネクタ４４は、ディスクトレイ４０を覆い隠す蓋部４６ａに配置されている。本変形例においては、蓋部４６ａを、ディスクトレイ４０を覆い隠すだけの部材として使用するのではなく、携帯端末６を接続するための部材としても使用できる。つまり、新たに部品数を増やさず、加工や製造に手間を掛けることなく電子機器３を製造することができる。
【００３４】
また、この変形例においては、蓋部４６ａは、筐体３００に配置された配置物であるディスクトレイ４０の前面を覆っている。しかし、図６の構成において、筐体３００の前面でディスクトレイ４０の周囲に電子機器３を操作するためのボタンやスイッチを配置し、これらの配置された配置物を蓋部４６ａが覆ってもよい。
【００３５】
（２−２）変形例２
上述した実施形態で説明したディスクトレイ４０は、以下のように変形してもよい。図７は、変形例に係るディスクトレイ４０ａの構造を示した図であり、図７（ａ）はディスクトレイ４０ａの上面図、図７（ｂ）は図７（ａ）のＢ−Ｂ'線断面図である。なお、ディスクトレイ４０ａが光ディスク５を収容するための凹部４１、凹部４２の構成は、前述したディスクトレイ４０の構成と同じであるから説明を省略する。
【００３６】
凹部４３ａは、携帯端末６が収容される凹部である。凹部４３ａは、蓋部４６の後側でディスクトレイ４０の左側に設けられている。凹部４３ａにおいては、凹部４３ａの底面４３ａ１から上方向に突出するようにコネクタ４４が配置されている。携帯端末６は、雌型のコネクタが配置された左側面をコネクタ４４に向けて凹部４３ａに入れられる。凹部４３ａに入れられた携帯端末６のコネクタに凹部４３ａのコネクタ４４が嵌ると、携帯端末６と電子機器３が電気的に接続される。
なお、蓋部４６の後側でディスクトレイ４０ａの右側に、凹部４３ａと同じ形状であり、底面にコネクタ４４が配置された凹部４３ｂを設けてもよい。また、このようにコネクタ４４を複数配置する場合には、凹部４３ｂのコネクタ４４の形状や寸法を凹部４３ａのコネクタ４４と異ならせてもよい。
【００３７】
（２−３）変形例３
上述した実施形態においては、ディスクトレイ４０は、１枚の光ディスクを筐体３００内へ収容する構造となっているが、ディスクトレイ４０の構造は、この構造に限定されるものではない。たとえば、ディスクトレイ４０は、所謂ＣＤチェンジャーと呼ばれるＣＤプレイヤーのように、複数枚の光ディスク５を同時に載せられる構成であってもよい。さらに、光ディスクの再生状態を保ったままディスクトレイを開閉自在とする技術（例えば特開平８−７７６７５）を用いて、光ディスク５の再生中に、携帯端末６を接続させられる構成であってもよい。この場合、制御部３０３は、光ディスク５に記録されている音声データを読み出す処理と、携帯端末６で処理できるようなファイル形式に変換した音楽データを携帯端末６に保存する処理とを同時に実施することが可能となる。
【００３８】
（２−４）変形例４
上述した実施形態においては、携帯端末６は携帯型の音楽プレーヤであるとした。しかし、これに限らずその他の電子機器に適用することも可能である。例えば、携帯端末６は、携帯電話機、無線ＬＡＮ（Local Area Network）端末、ＰＤＡ（Personal Digital Assistant）、ＩＣレコーダ、携帯ゲーム機、パーソナルコンピュータおよびＨＤＤ（Hard Disk Drive）などの不揮発性の補助記憶装置など、種々の電子機器に適用することができる。
【００３９】
（２−５）変形例５
上述した実施形態においては、ディスクトレイ４０に設けられたコネクタ４４が雄型の形状であり、携帯端末６に設けられたコネクタが雌型の形状であるとした。しかし、これに限らず、ディスクトレイ４０に設けられたコネクタ４４が雌型の形状であり、携帯端末６に設けられたコネクタが雄型の形状であってもよい。
【００４０】
（２−６）変形例６
上述した実施形態においては、凹部４３は、長手方向を左右方向と同じ方向としているが、長手方向が前後方向となるようにしてもよい。なお、凹部４３の長手方向が前後方向となる場合、凹部４３において蓋部４６側の内壁面にコネクタ４４を配置してもよく、蓋部４６と対向する内壁面にコネクタ４４を配置してもよい。
【００４１】
（２−７）変形例７
上述した実施形態においては、制御部３０３が、携帯端末６がコネクタ４４から外されたことを検知してもよい。この場合、制御部３０３は、トレイモータ駆動回路３１１を制御し、ディスクトレイ４０を筐体３００内に収納するようにしてもよい。
【００４２】
（２−８）変形例８
上述した実施形態においては、蓋部４６の上下方向の高さは、凹部４１の外側の部分の高さより高くなっているが、蓋部４６の上下方向の高さは、凹部４１の外側の部分の高さと同じであってもよい。この構成においては、ディスクトレイ４０が筐体３００内に収納された時に開口部３０１とディスクトレイ４０との間に隙間が生じるが、開口部３０１より奥にコネクタ４４が位置するため、コネクタ４４が筐体３００の表面に設けられている場合と比較して、コネクタ４４に到達する塵埃が少なくなる。
【００４３】
（２−９）変形例９
上述した実施形態においては、ディスクトレイ４０が筐体３００から突出しており、コネクタ４４に携帯端末６が接続されている状態において、ボタン３０２が押されてから所定時間内に再度ボタン３０２が押された場合、図５に示した位置までディスクトレイ４０を収納するようにしてもよい。
また、ディスクトレイ４０が筐体３００から突出しており、コネクタ４４に携帯端末６が接続されている状態において、ボタン３０２が所定時間以上押され続けた場合、図５に示した位置までディスクトレイ４０を収納するようにしてもよい。
【００４４】
（２−１０）変形例１０
上述した実施形態においては、ディスクトレイ４０が図２の状態にある時に携帯端末６がコネクタ４４に接続された場合、制御部３０３は、ボタン３０２が押されなくても、図５に示した位置までディスクトレイ４０を収納するようにしてもよい。
また、図５に示した位置までディスクトレイ４０が移動すると電子機器３が携帯端末６にアクセスし、電子機器３に記憶されている音楽データのタイトル名を表示部６１に表示させるようにしてもよい。
【符号の説明】
【００４５】
１…オーディオシステム、２…コンピュータ装置、３…電子機器、３Ａ…電子機器、３００…筐体、３０１…開口部、３０２…ボタン、３０３…制御部、３０５…スピンドルモータ駆動回路、３０６…レーザ駆動回路、３０７…光ピックアップ、３０８…スピンドルモータ、３０９…デコーダ、３１０…接続Ｉ／Ｆ部、３１１…トレイモータ駆動回路、４０…ディスクトレイ、４０ａ…ディスクトレイ、４１…凹部、４２…凹部、４３…凹部、４３ａ…凹部、４３ｂ…凹部、４３１…左壁面、４４…コネクタ、４４ａ…コネクタ、４４ｂ…収納部、４５…開口部、４６…蓋部、４６ａ…蓋部、４６ｂ…軸、５…光ディスク、６…携帯端末、６０…筐体、６１…表示部、６２…操作部、７…ケーブル
【図１】
0005569103.tif 000002
【図２】
0005569103.tif 000003
【図３】
0005569103.tif 000004
【図４】
0005569103.tif 000005
【図５】
0005569103.tif 000006
【図６】
0005569103.tif 000007
【図７】
0005569103.tif 000008